(57)【要約】【課題】マルチパス等化効果の低下を抑制することが可能な受信機を提供する。【解決手段】受信機において、第１の切換回路が第１の選択フィルタが出力した信号に切り換えて出力する場合には、第２の切換回路は遅延補正装置が出力した信号に切り換えて出力し、第１の切換回路が第２の選択フィルタが出力した信号に切り換えて出力する場合には、第２の切換回路は前記第３の選択フィルタが出力した信号に切り換えて出力する。【選択図】図１
2010183171.tif 000002
【特許請求の範囲】
【請求項１】
搬送波を中心とする第１の通過帯域を有し、入力された信号をフィルタリングして得られた信号を出力する第１の選択フィルタと、
前記第１の通過帯域よりも狭く前記搬送波を中心とする第２の通過帯域を有し、入力された信号をフィルタリングして得られた信号を出力する第２の選択フィルタと、
前記第１の選択フィルタが出力した信号と前記第２の選択フィルタが出力した信号とを切り換えて出力することが可能な第１の切換回路と、
第１のアンテナを介して入力された信号を周波数変換した第１の信号を前記第１の選択フィルタおよび前記第２の選択フィルタに出力し、且つ、前記第１の切換回路から入力された信号を処理した第２の信号を出力する第１のチューナと、
前記第２の信号をアナログ・デジタル変換し、得られた信号を出力する第１のアナログ・デジタルコンバータと、
前記第２の通過帯域よりも狭く前記搬送波を中心とする第３の通過帯域を有し、前記第１のアナログ・デジタルコンバータが出力した信号をフィルタリングして得られた信号を出力する第３の選択フィルタと、
前記第３の選択フィルタが出力した信号を規定された遅延時間だけ遅延させた信号を出力する遅延補正装置と、
前記第３の選択フィルタが出力した信号と前記遅延補正装置が出力した信号とを切り換えて出力することが可能な第２の切換回路と、
前記第２の通過帯域と同じ通過帯域を有し、入力された信号をフィルタリングして得られた信号を出力する第４の選択フィルタと、
前記第１のアンテナと所定の距離を隔てて配置された第２のアンテナを介して入力された信号を前記第１のチューナと同様に周波数変換した第３の信号を前記第４の選択フィルタに出力し、且つ、前記第４の選択フィルタから入力された信号を前記第１のチューナと同様に処理した第４の信号を出力する第２のチューナと、
前記第４の信号をアナログ・デジタル変換し、得られた信号を出力する第２のアナログ・デジタルコンバータと、
前記第３の通過帯域と同じ通過帯域を有し、前記第２のアナログ・デジタルコンバータが出力した信号をフィルタリングして得られた信号を出力する第５の選択フィルタと、
前記第２の切換回路から出力された信号と前記第５の選択フィルタから出力された信号とが入力され、マルチパスを等化し、得られた信号を出力するマルチパス等化装置と、を備える
ことを特徴とする受信機。
【請求項２】
前記第１の切換回路が前記第１の選択フィルタが出力した信号に切り換えて出力する場合には、前記第２の切換回路は前記遅延補正装置が出力した信号に切り換えて出力し、
前記第１の切換回路が前記第２の選択フィルタが出力した信号に切り換えて出力する場合には、前記第２の切換回路は前記第３の選択フィルタが出力した信号に切り換えて出力する
ことを特徴とする請求項１に記載の受信機。
【請求項３】
前記第１のアナログ・デジタルコンバータが出力した信号成分のうち、前記第１の通過帯域を通過し前記第２の通過帯域で減衰する信号成分をデコードするデコーダと、
前記マルチパス等化装置が出力した信号を検波し、得られた信号を出力する検波器と、
前記検波器が出力した信号をＬ／Ｒ信号に分離して出力するステレオ復調器と、
前記ステレオ復調器から出力された前記Ｌ／Ｒ信号を処理してオーディオ信号を出力するオーディオ処理装置と、をさらに備える
ことを特徴とする請求項１または２に記載の受信機。
【請求項４】
前記遅延時間は、前記第２の通過帯域における前記第２の選択フィルタの群遅延時間と、前記第２の通過帯域における第１の選択フィルタの群遅延時間と、の差に基づいて決定される
ことを特徴とする請求項１ないし３の何れかに記載の受信機。
【請求項５】
搬送波を中心とする第１の通過帯域を有し、入力された信号をフィルタリングして得られた信号を出力する第１の選択フィルタと、
第１のアンテナを介して入力された信号を周波数変換した第１の信号を前記第１の選択フィルタに出力し、且つ、前記第１の選択フィルタから入力された信号を処理した第２の信号を出力する第１のチューナと、
前記第２の信号をアナログ・デジタル変換し、得られた信号を出力する第１のアナログ・デジタルコンバータと、
前記第１の通過帯域よりも狭く前記搬送波を中心とする第２の通過帯域を有し、前記第１のアナログ・デジタルコンバータが出力した信号をフィルタリングして得られた信号を出力する第２の選択フィルタと、
前記第２の選択フィルタが出力した信号を規定された遅延時間だけ遅延させた信号を出力する遅延補正装置と、
前記第１の通過帯域よりも狭く前記搬送波を中心とする第３の通過帯域を有し、入力された信号をフィルタリングして得られた信号を出力する第３の選択フィルタと、
前記第１のアンテナと所定の距離を隔てて配置された第２のアンテナを介して入力された信号を前記第１のチューナと同様に周波数変換した第３の信号を前記第４の選択フィルタに出力し、且つ、前記第４の選択フィルタから入力された信号を前記第１のチューナと同様に処理した第４の信号を出力する第２のチューナと、
前記第４の信号をアナログ・デジタル変換し、得られた信号を出力する第２のアナログ・デジタルコンバータと、
前記第２の通過帯域と同じ通過帯域を有し、前記第２のアナログ・デジタルコンバータが出力した信号をフィルタリングして得られた信号を出力する第４の選択フィルタと、
前記遅延補正装置から出力された信号と前記第４の選択フィルタから出力された信号とが入力され、マルチパスを等化し、得られた信号を出力するマルチパス等化装置と、を備える
ことを特徴とする受信機。
【発明の詳細な説明】
【技術分野】
【０００１】
本発明は、アナログラジオ放送を受信可能な受信機に関するものである。
【背景技術】
【０００２】
アナログラジオ放送に用いられるＦＭ信号は定包絡である。しかし、このＦＭ信号は、マルチパス伝搬路を経由すると、マルチパスの影響により定包絡性が崩れ得る。
【０００３】
このＦＭ信号の定包絡性を利用した等化アルゴリズムが、ＣＭＡ（Ｃｏｎｓｔａｎｔ Ｍｏｄｕｌｕｓ Ａｌｇｏｒｉｓｍ:定包絡アルゴリズム)である。このＣＭＡアルゴリズムは、入力信号をx、出力信号をy、重み付けをw、ステップ係数をμ、ターゲット振幅をσとすると、更新式である式（１）で表される。
【数１】
2010183171.tif 000003
【０００４】
上記式（１）において、出力信号ｙがターゲット振幅σに収束することにより、ＣＭＡアルゴリズムはマルチパスを低減して出力を定包絡にする効果がある。
【０００５】
ここで、従来、例えば、ＩＢＯＣ（Ｉｎ−Ｂａｎｄ  Ｏｎ−Ｃｈａｎｎｅｌ）方式のデジタルラジオ放送（ＨＤ−Ｒａｄｉｏ：Ｈｙｂｒｉｄ  Ｄｉｇｉｔａｌ  Ｒａｄｉｏ）の受信システムがある。この受信システムでは、例えば、２アンテナ、２チューナによる空間等化器が用いられている。
【０００６】
従来の空間等化器において、片方のチューナがＩＢＯＣ用フィルタ、他方のチューナがＦＭ用フィルタなど帯域の異なるフィルタを用いた場合、２チューナ間に遅延時間差が生じ得る。これにより、該空間等化器のマルチパス等化効果が低下する。
【０００７】
ここで、従来の受信機には、一方のアンテナで受信した信号を他方のアンテナで受信した信号に対して遅延させる遅延手段を有するものがある（例えば、特許文献１参照。）。
【０００８】
上記従来の受信機は、２つのアンテナから入力された信号間の破壊的干渉の可能性を低減するものである。
【０００９】
しかし、上記従来の受信機は、空間等化器のマルチパス等化効果への影響を考慮したものではない。
【特許文献１】特開平６−１６９７２３号公報
【発明の開示】
【発明が解決しようとする課題】
【００１０】
本発明は、マルチパス等化効果の低下を抑制することが可能な受信機を提供することを目的とする。
【課題を解決するための手段】
【００１１】
本発明の一態様に係る実施例に従った受信機は、搬送波を中心とする第１の通過帯域を有し、入力された信号をフィルタリングして得られた信号を出力する第１の選択フィルタと、前記第１の通過帯域よりも狭く前記搬送波を中心とする第２の通過帯域を有し、入力された信号をフィルタリングして得られた信号を出力する第２の選択フィルタと、前記第１の選択フィルタが出力した信号と前記第２の選択フィルタが出力した信号とを切り換えて出力することが可能な第１の切換回路と、第１のアンテナを介して入力された信号を周波数変換した第１の信号を前記第１の選択フィルタおよび前記第２の選択フィルタに出力し、且つ、前記第１の切換回路から入力された信号を処理した第２の信号を出力する第１のチューナと、前記第２の信号をアナログ・デジタル変換し、得られた信号を出力する第１のアナログ・デジタルコンバータと、前記第２の通過帯域よりも狭く前記搬送波を中心とする第３の通過帯域を有し、前記第１のアナログ・デジタルコンバータが出力した信号をフィルタリングして得られた信号を出力する第３の選択フィルタと、前記第３の選択フィルタが出力した信号を規定された遅延時間だけ遅延させた信号を出力する遅延補正装置と、前記第３の選択フィルタが出力した信号と前記遅延補正装置が出力した信号とを切り換えて出力することが可能な第２の切換回路と、前記第２の通過帯域と同じ通過帯域を有し、入力された信号をフィルタリングして得られた信号を出力する第４の選択フィルタと、前記第１のアンテナと所定の距離を隔てて配置された第２のアンテナを介して入力された信号を前記第１のチューナと同様に周波数変換した第３の信号を前記第４の選択フィルタに出力し、且つ、前記第４の選択フィルタから入力された信号を前記第１のチューナと同様に処理した第４の信号を出力する第２のチューナと、前記第４の信号をアナログ・デジタル変換し、得られた信号を出力する第２のアナログ・デジタルコンバータと、前記第３の通過帯域と同じ通過帯域を有し、前記第２のアナログ・デジタルコンバータが出力した信号をフィルタリングして得られた信号を出力する第５の選択フィルタと、前記第２の切換回路から出力された信号と前記第５の選択フィルタから出力された信号とが入力され、マルチパスを等化し、得られた信号を出力するマルチパス等化装置と、を備える。
【００１２】
本発明の他の態様に係る実施例に従った受信機は、搬送波を中心とする第１の通過帯域を有し、入力された信号をフィルタリングして得られた信号を出力する第１の選択フィルタと、第１のアンテナを介して入力された信号を周波数変換した第１の信号を前記第１の選択フィルタに出力し、且つ、前記第１の選択フィルタから入力された信号を処理した第２の信号を出力する第１のチューナと、前記第２の信号をアナログ・デジタル変換し、得られた信号を出力する第１のアナログ・デジタルコンバータと、前記第１の通過帯域よりも狭く前記搬送波を中心とする第２の通過帯域を有し、前記第１のアナログ・デジタルコンバータが出力した信号をフィルタリングして得られた信号を出力する第２の選択フィルタと、前記第２の選択フィルタが出力した信号を規定された遅延時間だけ遅延させた信号を出力する遅延補正装置と、前記第１の通過帯域よりも狭く前記搬送波を中心とする第３の通過帯域を有し、入力された信号をフィルタリングして得られた信号を出力する第３の選択フィルタと、前記第１のアンテナと所定の距離を隔てて配置された第２のアンテナを介して入力された信号を前記第１のチューナと同様に周波数変換した第３の信号を前記第４の選択フィルタに出力し、且つ、前記第４の選択フィルタから入力された信号を前記第１のチューナと同様に処理した第４の信号を出力する第２のチューナと、前記第４の信号をアナログ・デジタル変換し、得られた信号を出力する第２のアナログ・デジタルコンバータと、前記第２の通過帯域と同じ通過帯域を有し、前記第２のアナログ・デジタルコンバータが出力した信号をフィルタリングして得られた信号を出力する第４の選択フィルタと、前記遅延補正装置から出力された信号と前記第４の選択フィルタから出力された信号とが入力され、マルチパスを等化し、得られた信号を出力するマルチパス等化装置と、を備えることを特徴とする。
【発明の効果】
【００１３】
本発明の受信機によれば、マルチパス等化効果の低下を抑制することができる。
【発明を実施するための最良の形態】
【００１４】
以下、本発明に係る各実施例について図面に基づいて説明する。
【実施例１】
【００１５】
図１は、本発明の一態様である実施例１に係る受信機１００の構成の一例を示すブロック図である。
【００１６】
図１に示すように、受信機１００は、第１のアンテナ１と、第１のチューナ２と、第１の選択フィルタ３と、第２の選択フィルタ４と、第１の切換回路５と、第１のアナログ・デジタルコンバータ（ＡＤＣ）６と、デコーダ７と、第３の選択フィルタ８と、第２のアンテナ９と、第２のチューナ１０と、第４の選択フィルタ１１と、第２のアナログ・デジタルコンバータ（ＡＤＣ）１２と、第５の選択フィルタ１３と、マルチパス等化装置１４と、検波器１５と、ステレオ復調器１６と、オーディオ処理装置１７と、遅延補正装置１８と、第２の切換回路１９と、を備える。
【００１７】
第１のアンテナ１は、例えば、ＲＦ（Ｒａｄｉｏ  Ｆｒｅｑｕｅｎｃｙ）信号を受信するようになっている。
【００１８】
第１の選択フィルタ３は、広帯域選択フィルタであり、搬送波（例えば、ＦＭ（Ｆｒｅｑｕｅｎｃｙ  Ｍｏｄｕｌａｔｉｏｎ）信号）を中心とする第１の通過帯域を有する。この第１の選択フィルタ３は、第１のチューナ２から入力された信号をフィルタリングして得られた信号を、第１の切換回路５を介して、第１のチューナ２に、出力するようになっている。
【００１９】
なお、該第１の通過帯域には、例えば、デジタルラジオ放送の信号とＦＭ信号とが含まれる。この場合、第１の選択フィルタ３は、デジタルラジオ放送（ＩＢＯＣ等）を受信する際に、用いられる。
【００２０】
第２の選択フィルタ４は、狭帯域選択フィルタであり、該第１の通過帯域よりも狭く該搬送波を中心とする第２の通過帯域を有する。この第２の選択フィルタ４は、第１のチューナ２から入力された信号をフィルタリングして得られた信号を、第１の切換回路５を介して、第１のチューナ２に、出力するようになっている。この第２の選択フィルタ４は、ＦＭラジオ放送を受信する際に、用いられる。
【００２１】
なお、該第２の通過帯域には、例えば、デジタルラジオ放送の信号が含まれない。この場合、第２の選択フィルタ４は、ＦＭラジオ放送を受信する際に、用いられる。
【００２２】
また、後述のように、この第２の選択フィルタ４は、第２の通過帯域において、第１の選択フィルタ３よりも、群遅延時間が短い。
【００２３】
第１の切換回路５は、第１の選択フィルタ３が出力した信号と第２の選択フィルタ４が出力した信号とを切り換えて出力することが可能になっている。これにより、自局が選択される。
【００２４】
第１のチューナ（メインチューナ）２は、第１のアンテナを介して入力された信号（ＲＦ信号）を周波数変換した第１の信号（例えば、ＩＦ（Ｉｎｔｅｒｍｅｄｉａｔｅ  Ｆｒｅｑｕｅｎｃｙ）信号）ＩＦを第１の選択フィルタ３および第２の選択フィルタ４に出力するようになっている。
【００２５】
さらに、この第１のチューナ２は、第１の切換回路５から入力された信号を処理した第２の信号（ＩＦ  Ｍａｉｎ）を出力する。なお、この第１のチューナ２の処理には、周波数変換、増幅等が含まれるが、第１の切換回路５から入力された信号をそのまま出力する場合も含まれる。
【００２６】
第１のアナログ・デジタルコンバータ（ＡＤＣ）６は、第２の信号（ＩＦ  Ｍａｉｎ）をアナログ・デジタル変換し、得られた信号（デジタル信号）を出力するようになっている。
【００２７】
デコーダ７は、第１のアナログ・デジタルコンバータが出力した信号成分のうち、該第１の通過帯域を通過し該第２の通過帯域で減衰する信号成分（例えば、デジタルラジオ放送の信号成分）をデコードするようになっている。これにより、例えば、ＩＢＯＣ方式に対応したデコーダ７でデコードした信号に基づいて、デジタルラジオ放送が再生される。
【００２８】
第３の選択フィルタ８は、該第２の通過帯域よりも狭く該搬送波を中心とする第３の通過帯域を有する。この第３の選択フィルタ８は、第１のアナログ・デジタルコンバータ６が出力した信号をフィルタリングして得られた信号を出力するようになっている。
【００２９】
遅延補正装置１８は、第３の選択フィルタ８が出力した信号を規定された遅延時間だけ遅延させた信号を出力するようになっている。
【００３０】
ここで、図２は、図１に示す受信機１００の遅延補正装置１８の構成の一例を示す回路図である。
【００３１】
図２に示すように、遅延補正装置１８は、入力された信号を規定期間遅延させて出力する複数の遅延回路１８ａ〜１８ｄと、制御信号によりオン／オフが制御される複数のスイッチ素子１８ｅ〜１８ｉと、入力端子１８ｊと、出力端子１８ｋと、を有する。
【００３２】
入力端子１８ｊには、第３の選択フィルタ８が出力した信号が入力されるようになっている。
【００３３】
遅延回路１８ａ〜１８ｄは、入力端子１８ｊと出力端子１８ｋとの間に、直列に接続されている。
【００３４】
スイッチ素子１８ｅは、入力端子１８ｊと出力端子１８ｋとの間に、接続されている。また、スイッチ素子１８ｆは、遅延回路１８ａの出力と出力端子１８ｋとの間に、接続されている。また、スイッチ素子１８ｇは、遅延回路１８ｂの出力と出力端子１８ｋとの間に、接続されている。また、スイッチ素子１８ｈは、遅延回路１８ｃの出力と出力端子１８ｋとの間に、接続されている。また、スイッチ素子１８ｉは、遅延回路１８ｄの出力と出力端子１８ｋとの間に、接続されている。
【００３５】
該制御信号により各スイッチ素子１８ｅ〜１８ｉのオン／オフを制御することにより、入力端子１８ｊに入力された信号が通過する遅延回路の個数が制御されるようになっている。これにより、遅延補正装置１８の遅延時間が規定値に制御される。
【００３６】
このように、遅延補正装置１８は、制御信号に応じて、スイッチ素子１８ｅ〜１８ｈのオン／オフを制御することにより、第３の選択フィルタ８が出力した信号を規定された遅延時間だけ遅延させた信号を出力端子１８ｋから出力するようになっている。
【００３７】
また、図３は、広帯域選択フィルタと狭帯域選択フィルタの周波数特性の一例を示す図である。
【００３８】
図３に示すように、広帯域選択フィルタは、利得の周波数特性が広く、群遅延時間（ＧＤＴ：Ｇｒｏｕｐ Ｄｅｌａｙ Ｔｉｍｅ）の絶対値が小さい。
【００３９】
これに対して、狭帯域選択フィルタは利得の周波数特性が狭く、群遅延時間の絶対値が大きい。
【００４０】
これらの選択フィルタを組み合わせた場合、マルチパス等化装置の入力信号において、メインチューナとサブチューナに時間差が生じることとなる。
【００４１】
ここで、遅延補正装置１８は、既述のような構成を有するため、時間を遅らせることしかできない。このため、本実施例では、群遅延時間の絶対値が小さい広帯域選択フィルタ（第１の選択フィルタ３）を用いたメインチューナ（第１のチューナ２）に対して、遅延時間を補正している。
【００４２】
そこで、遅延補正装置１８の遅延時間は、該第２の通過帯域における第２の選択フィルタ４の群遅延時間と、該第２の通過帯域における第１の選択フィルタ３の群遅延時間と、の差に基づいて決定される。ここでは、例えば、遅延補正装置１８の遅延時間を、該第２の通過帯域における第２の選択フィルタ４の群遅延時間と、該第２の通過帯域における第１の選択フィルタ３の群遅延時間と、の差の時間とする。
【００４３】
また、図１に示すように、第２の切換回路１９は、第３の選択フィルタ８が出力した信号と遅延補正装置１８が出力した信号とを切り換えて出力することが可能になっている。
【００４４】
第２のアンテナ９は、第１のアンテナ１と所定の距離を隔てて配置されている。この第２のアンテナ９は、第１のアンテナ１と同様に、例えば、ＲＦ信号を受信するようになっている。
【００４５】
第４の選択フィルタ１１は、第２の選択フィルタ４の該第２の通過帯域と同じ通過帯域を有する。この第４の選択フィルタ１１は、第２のチューナ１０から入力された信号をフィルタリングして得られた信号を、第２のチューナ１０に出力するようになっている。
【００４６】
第２のチューナ（サブチューナ）１０は、第２のアンテナ９を介して入力された信号を第１のチューナ１と同様に周波数変換した第３の信号（ＩＦ）を第４の選択フィルタ１１に出力するようになっている。
【００４７】
さらに、この第２のチューナ１０は、第４の選択フィルタ１１から入力された信号を第１のチューナ２と同様に処理した第４の信号（ＩＦ  Ｓｕｂ）を出力するようになっている。なお、この第２のチューナ１０の処理には、第１のチューナ２と同様の周波数変換、増幅等の処理が含まれるが、入力された信号をそのまま出力する場合も含まれる。
【００４８】
第２のアナログ・デジタルコンバータ（ＡＤＣ）１２は、第４の信号（ＩＦ  Ｓｕｂ）をアナログ・デジタル変換し、得られた信号（デジタル信号）を出力するようになっている。
【００４９】
第５の選択フィルタ１３は、第３の選択フィルタ８の該第３の通過帯域と同じ通過帯域を有する。この第５の選択フィルタ１３は、第２のアナログ・デジタルコンバータが出力した信号をフィルタリングして得られた信号を出力するようになっている。
【００５０】
マルチパス等化装置１４は、第２の切換回路１９から出力された信号と第５の選択フィルタ１３から出力された信号とが入力され、マルチパスを等化し、得られた信号を出力するようになっている。
【００５１】
なお、第１の切換回路５が第１の選択フィルタ３の信号を出力する場合、第２の切換回路１９は遅延補正装置１８が出力した信号に切り換えて出力するので、マルチパス等化装置１４に入力される２つの信号の遅延時間は、等しくなる。
【００５２】
また、検波器１５は、マルチパス等化装置１４が出力した信号を検波（例えば、ＦＭ検波）し、得られた信号（合成信号）を出力するようになっている。
【００５３】
ステレオ復調器１６は、検波器１５が出力した信号をＬ／Ｒ信号（ステレオ信号）に分離して出力するようになっている。
【００５４】
オーディオ処理装置１７は、ステレオ復調器１６から出力されたＬ／Ｒ信号を処理してオーディオ信号を出力するようになっている。このオーディオ処理装置１７による処理には、妨害によるブレンド、高域カット、ソフトミュート処理等が含まれる。
【００５５】
このオーディオ処理装置１７から出力されたオーディオ信号（Ｌｃｈ、Ｒｃｈ）に基づいて、アナログラジオ（例えば、ＦＭラジオ放送）が再生される。なお、このアナログラジオ放送は、デジタルラジオ放送の受信感度が低い場合に、選択的に再生される。
【００５６】
ここで、以上のような構成を有する受信機１００の動作の一例について説明する。
【００５７】
先ず、受信機１００がデジタルラジオ放送を受信する場合について説明する。
【００５８】
この場合、第１の切換回路５が第１の選択フィルタ３が出力した信号に切り換えて出力する。
【００５９】
これにより、第１のアナログ・デジタルコンバータ６から出力された信号成分には、該第１の通過帯域を通過し該第２の通過帯域で減衰する信号成分（例えば、デジタルラジオ放送の信号成分）も含まれることになる。
【００６０】
デコーダ７は、第１のアナログ・デジタルコンバータが出力した信号成分のうち、該第１の通過帯域を通過し該第２の通過帯域で減衰する信号成分（例えば、デジタルラジオ放送の信号成分）をデコードする。
【００６１】
既述のように、例えば、ＩＢＯＣ方式に対応したデコーダ７がデコードした信号に基づいて、デジタルラジオ放送が再生される。
【００６２】
さらに、この場合、第２の切換回路１９は遅延補正装置１８が出力した信号に切り換えて出力する。
【００６３】
これにより、既述のように、第２の切換回路１９は遅延補正装置１８が出力した信号に切り換えて出力するので、受信機１００において、マルチパス等化装置１４に入力される２つの信号の遅延時間は、等しくなる。なお、遅延補正装置１８および第５の選択フィルタ１３から出力された信号成分には、該第３の通過帯域を通過した信号成分（例えば、ＦＭラジオ放送の信号成分）が含まれる。
【００６４】
そして、マルチパス等化装置１４は、これらの遅延時間が等しい２つの信号に基づいて、  より適切にマルチパスの除去をする。そして、より適切にマルチパスが除去された信号に基づいて、検波器１５、ステレオ復調器１６、およびオーディオ処理装置１７により、オーディオ信号（Ｌｃｈ、Ｒｃｈ）が出力される。このオーディオ信号に基づいて、例えば、ＦＭラジオ放送が再生される。
【００６５】
次に、受信機１００がデジタルラジオ放送を受信しない場合について説明する。
【００６６】
この場合、第１の切換回路５が第２の選択フィルタ４が出力した信号に切り換えて出力する。さらに、第２の切換回路１９は第３の選択フィルタ８が出力した信号に切り換えて出力する。
【００６７】
これにより、第３、第５の選択フィルタ８、１３から出力された信号が、マルチパス等化装置１４に入力される。既述のように、第２の選択フィルタ４と第４の選択フィルタ１１とは同じ通過帯域を有する。したがって、受信機１００において、マルチパス等化装置１４に入力される２つの信号の遅延時間は、等しくなる。なお、第３、第５の選択フィルタ８、１３から出力された信号成分には、該第３の通過帯域を通過した信号成分（例えば、ＦＭラジオ放送の信号成分）が含まれる。
【００６８】
そして、マルチパス等化装置１４は、これらの遅延時間が等しい２つの信号に基づいて、  より適切にマルチパスの除去をする。そして、より適切にマルチパスが除去された信号に基づいて、検波器１５、ステレオ復調器１６、およびオーディオ処理装置１７により、オーディオ信号（Ｌｃｈ、Ｒｃｈ）が出力される。このオーディオ信号に基づいて、アナログラジオ放送が再生される。
【００６９】
ここで、デジタルラジオ放送を受信する場合における遅延補正の有効性について検討する。
【００７０】
図４は、広帯域フィルタを用いたメインチューナの出力信号の波形を示す図である。また、図５は、狭帯域フィルタを用いたサブチューナの出力信号の波形を示す図である。
【００７１】
図４および図５に示すこれらの信号は、マルチパスを含んだＦＭ信号である。
【００７２】
まず、遅延補正をしない場合について検討する。図６は、図４に示す信号に遅延補正を行わずに、図５に示す信号を、マルチパス等化装置で等化したＦＭ信号の波形を示す図である。
【００７３】
マルチパス等化装置で等化したＦＭ信号は、本来は等化後に定包絡になるはずである。しかし、図６に示すように、ＦＭ信号に、ＡＭリップルが生じている。このように、メインチューナ側の出力信号に遅延補正しなければ、マルチパス除去特性が劣化していることが分かる。
【００７４】
次に、広帯域フィルタを用いたメインチューナに遅延補正をかけた場合について検討する。
【００７５】
図７は、図４に示す信号に遅延補正を行って、図５に示す信号を、マルチパス等化装置で等化したＦＭ信号の波形を示す図である。
【００７６】
図７に示すように、マルチパス等化装置で等化したＦＭ信号は、マルチパスによるリップルが除去され、定包絡になっていることが分かる。
【００７７】
以上のように、広帯域フィルタを用いたメインチューナの出力信号に遅延補正をかけることにより、マルチパス等化効果の低下を抑制することができる。
【００７８】
次に、受信機のオーディオ出力の特性について検討する。なお、ここでは、２パスモデルのマルチパスを前提とし、１パス目はメインアンテナ、サブアンテナ共に位相を０度で固定とし、２パス目はメインアンテナを位相１００度で固定する。
【００７９】
図８は、受信機のオーディオ出力の歪み特性を示す図である。なお、この図８において、横軸がサブアンテナの位相であり、縦軸が受信機のオーディオ出力の歪み率である。  
図８において、実線は、メインチューナ、サブチューナ共に狭帯域のフィルタを用いた場合の受信機のオーディオ出力の特性を示す。
【００８０】
この実線に注目すると、サブアンテナの２パス目の位相が１００度となる条件では、メインアンテナ、サブアンテナ共に位相条件が同じとなる。このため、マルチパス除去することはできず、歪み率が上昇する。また、メインアンテナの位相とサブアンテナの位相とが異なれば、マルチパス除去効果が得られている。
【００８１】
また、図８において、破線は、メインチューナに広帯域選択フィルタを用い、サブチューナに狭帯域選択フィルタを用い、メインチューナの出力信号に対して遅延補正しない場合の特性を示す。
【００８２】
この破線に注目すると、実線に比べ、歪み率が大きく上昇していることが分かる。すなわち、メインチューナに広帯域選択フィルタを用い、メインチューナの出力信号に対して遅延補正しない場合、マルチパス等化効果が低下すると考えれる。
【００８３】
また、図８において、二点鎖線は、メインチューナに広帯域選択フィルタを用い、サブチューナに狭帯域選択フィルタを用い、メインチューナの出力信号に対して遅延補正する場合の特性を示す。
【００８４】
この二点鎖線に注目すると、破線に比べて、歪み率が低下し、実線に近づいていることが分かる。すなわち、メインチューナに広帯域選択フィルタを用い、メインチューナの出力信号に対して遅延補正する場合、マルチパス等化効果の低下が抑制されると考えられる。
【００８５】
以上のように、本実施例に係る受信機によれば、マルチパス等化効果の低下を抑制することができる。
【実施例２】
【００８６】
実施例１では、汎用的に、メインチューナに接続された２つの選択フィルタを切り換えて用いる構成について説明した。
【００８７】
しかし、デジタルラジオ放送のみの受信可能な構成を意図した場合、メインチューナに広帯域の選択フィルタ（第１の選択フィルタ）だけが接続されていればよい。
【００８８】
そこで、本実施例２では、メインチューナ側の狭帯域選択フィルタ（第２の選択フィルタ）、第１、第２の切換回路を省略した受信機の構成について述べる。
【００８９】
図９は、本発明の一態様である実施例２に係る受信機２００の構成の一例を示すブロック図である。
【００９０】
図９に示すように、受信機２００は、第１のアンテナ１と、第１のチューナ２と、第１の選択フィルタ３と、第１のアナログ・デジタルコンバータ（ＡＤＣ）６と、デコーダ７と、第３の選択フィルタ８と、第２のアンテナ９と、第２のチューナ１０と、第４の選択フィルタ１１と、第２のアナログ・デジタルコンバータ（ＡＤＣ）１２と、第５の選択フィルタ１３と、マルチパス等化装置１４と、検波器１５と、ステレオ復調器１６と、オーディオ処理装置１７と、遅延補正装置１８と、第２の切換回路１９と、を備える。
【００９１】
なお、第１のチューナ（メインチューナ）２は、第１のアンテナを介して入力された信号（ＲＦ信号）を周波数変換した第１の信号（例えば、ＩＦ（Ｉｎｔｅｒｍｅｄｉａｔｅ  Ｆｒｅｑｕｅｎｃｙ）信号）ＩＦを第１の選択フィルタ３に出力するようになっている。
【００９２】
さらに、この第１のチューナ２は、第１の選択フィルタ３から入力された信号を処理した第２の信号（ＩＦ  Ｍａｉｎ）を出力する。なお、この第１のチューナ２の処理には、周波数変換、増幅等が含まれるが、第１の切換回路５から入力された信号をそのまま出力する場合も含まれる。
【００９３】
また、マルチパス等化装置１４は、遅延補正装置１８から出力された信号と第５の選択フィルタ１３から出力された信号とが入力され、マルチパスを等化し、得られた信号を出力するようになっている。
【００９４】
このように、受信機２００は、実施例１の受信機１００と比較して、第２の選択フィルタ４、第１、第２の切換回路５、１９が省略されている以外は、同様の構成を備える。
【００９５】
ここで、以上のような構成を有する受信機２００の動作の一例について説明する。すなわち、受信機２００がデジタルラジオ放送を受信する場合について説明する。
【００９６】
本実施例２では、既述のように、第１のチューナ２は、第１の選択フィルタ３から入力された信号を処理した第２の信号（ＩＦ  Ｍａｉｎ）を出力する。
【００９７】
これにより、第１のアナログ・デジタルコンバータ６から出力された信号成分には、該第１の通過帯域を通過し該第２の通過帯域で減衰する信号成分（例えば、デジタルラジオ放送の信号成分）も含まれることになる。
【００９８】
デコーダ７は、第１のアナログ・デジタルコンバータが出力した信号成分のうち、該第１の通過帯域を通過し該第２の通過帯域で減衰する信号成分（例えば、デジタルラジオ放送の信号成分）をデコードする。
【００９９】
既述のように、例えば、ＩＢＯＣ方式に対応したデコーダ７がデコードした信号に基づいて、デジタルラジオ放送が再生される。
【０１００】
さらに、本実施例２では、既述のように、マルチパス等化装置１４には、遅延補正装置１８が出力した信号および第５の選択フィルタ１３が出力した信号が入力されるようになっている。
【０１０１】
これにより、受信機２００において、マルチパス等化装置１４に入力される２つの信号の遅延時間は、等しくなる。なお、遅延補正装置１８および第５の選択フィルタ１３から出力された信号成分には、該第３の通過帯域を通過した信号成分（例えば、ＦＭラジオ放送の信号成分）が含まれる。
【０１０２】
そして、マルチパス等化装置１４は、これらの遅延時間が等しい２つの信号に基づいて、  より適切にマルチパスの除去をする。そして、より適切にマルチパスが除去された信号に基づいて、検波器１５、ステレオ復調器１６、およびオーディオ処理装置１７により、オーディオ信号（Ｌｃｈ、Ｒｃｈ）が出力される。このオーディオ信号に基づいて、例えば、ＦＭラジオ放送が再生される。
【０１０３】
以上のように、本実施例に係る受信機によれば、マルチパス等化効果の低下を抑制することができる。
【図面の簡単な説明】
【０１０４】
【図１】本発明の一態様である実施例１に係る受信機１００の構成の一例を示すブロック図である。
【図２】図１に示す受信機１００の遅延補正装置１８の構成の一例を示す回路図である。
【図３】広帯域選択フィルタと狭帯域選択フィルタの周波数特性の一例を示す図である。
【図４】広帯域フィルタを用いたメインチューナの出力信号の波形を示す図である。
【図５】狭帯域フィルタを用いたサブチューナの出力信号の波形を示す図である。
【図６】図４に示す信号に遅延補正を行わずに、図５に示す信号を、マルチパス等化装置で等化したＦＭ信号の波形を示す図である。
【図７】図４に示す信号に遅延補正を行って、図５に示す信号を、マルチパス等化装置で等化したＦＭ信号の波形を示す図である。
【図８】受信機のオーディオ出力の歪み特性を示す図である。
【図９】本発明の一態様である実施例２に係る受信機２００の構成の一例を示すブロック図である。
【符号の説明】
【０１０５】
１  第１のアンテナ（メインアンテナ）
２  第１のチューナ（メインチューナ）
３  第１の選択フィルタ（広帯域選択フィルタ）
４  第２の選択フィルタ（狭帯域選択フィルタ）
５  第１の切換回路
６  第１のアナログ・デジタルコンバータ（ＡＤＣ）
７  デコーダ
８  第３の選択フィルタ
９  第２のアンテナ（サブアンテナ）
１０  第２のチューナ（サブチューナ）
１１  第４の選択フィルタ
１２  第２のアナログ・デジタルコンバータ（ＡＤＣ）
１３  第５の選択フィルタ
１４  マルチパス等化装置
１５  検波器（ＦＭ検波器）
１６  ステレオ復調器
１７  オーディオ処理装置
１８  遅延補正装置
１８ａ〜１８ｄ遅延回路
１８ｅ〜１８ｉスイッチ素子
１８ｊ  入力端子
１８ｋ  出力端子
１９  第２の切換回路
１００、２００  受信機
【図１】
2010183171.tif 000004
【図２】
2010183171.tif 000005
【図３】
2010183171.tif 000006
【図４】
2010183171.tif 000007
【図５】
2010183171.tif 000008
【図６】
2010183171.tif 000009
【図７】
2010183171.tif 000010
【図８】
2010183171.tif 000011
【図９】
2010183171.tif 000012